(57)【特許請求の範囲】
【請求項１】
単相交流電源を入力とし、上記単相交流電源の電圧を制御して出力する電力調整部を具備する節電装置において、上記電力調整部の入力端子間に接続され、交流電源から電力調整部に印加される交流電圧を表す入力の交流電圧検出信号を生成する入力電圧検出器と、上記電力調整部の出力端子間に接続され、電力調整部から負荷に印加される交流電圧を表す出力の交流電圧検出信号を生成する出力電圧検出器と、調整前の上記入力の交流電圧検出信号と、上記出力の交流電圧検出信号とを記憶し調整前電圧記憶信号を出力する調整前電圧記憶装置と、調整後の上記入力の交流電圧検出信号と、上記出力の交流電圧検出信号とを記憶し調整後電圧記憶信号を出力する調整後電圧記憶装置と、入力の調整前電圧記憶信号と入力の調整後電圧記憶信号とを比較し、かつ、出力の調整前電圧記憶信号と出力の調整後電圧記憶信号とを比較し、入力の交流電圧と上記電力調整部の出力電圧との電圧変動から正常接続あるいは異常接続かを判別し、その判別信号を出力する異常接続判別装置と、上記異常接続判別装置の上記判別信号により節電装置の入出力端子の接続が正常接続又は異常接続を表示する接続表示装置とを備えたことを特徴とする節電装置。
【請求項２】
単相交流電源を入力とし、上記単相交流電源の電圧を制御して出力する電力調整部を具備する節電装置において、上記電力調整部の入力端子間に接続され、交流電源から電力調整部に印加される交流電圧を表す入力の交流電圧検出信号を生成する入力電圧検出器と、上記電力調整部から負荷に供給される出力電流を表す交流電流検出信号を生成する電流検出器と、上記電力調整部から負荷に印加される交流電圧を表す出力の交流電圧検出信号を生成する出力電圧検出器と、上記交流電流検出信号と上記交流電圧検出信号とを乗算し、負荷に供給される電力を表す電力検出信号を生成する乗算器と、上記電力検出信号を基準値と比較することで上記電力検出信号が正信号か又は負信号かを判別し、電力検出信号が正を出力するときは節電装置の入出力端子の接続が正常接続を、負を出力するときは上記入出力端子の接続が異常接続を判別する比較器と、調整前の上記入力の交流電圧検出信号と、上記出力の交流電圧検出信号とを記憶し調整前電圧記憶信号を出力する調整前電圧記憶装置と、調整後の上記入力の交流電圧検出信号と、上記出力の交流電圧検出信号とを記憶し調整後電圧記憶信号を出力する調整後電圧記憶装置と、入力の調整前電圧記憶信号と入力の調整後電圧記憶信号とを比較し、かつ、出力の調整前電圧記憶信号と出力の調整後電圧記憶信号とを比較し、入力の交流電圧と上記電力調整部の出力電圧との電圧変動から正常接続あるいは異常接続かを判別し、その判別信号を出力する異常接続判別装置と、上記比較器又は上記異常接続判別装置の上記判別信号により節電装置の入出力端子の接続が正常接続又は異常接続を表示する接続表示装置とを備えたことを特徴とする節電装置。
【請求項３】
上記異常接続判別装置の出力に、上記入力の交流電圧と上記電力調整部の出力電圧との電圧変動の妥当性を欠き上記入出力端子の接続が異常接続を出力したとき、上記異常接続判別装置の出力信号により上記電力調整部をリセットし、上記異常接続判別装置の出力信号を所定数カウントしたとき上記接続表示装置に上記入出力端子の接続が異常接続表示指令を行うカウンタを備えたことを特徴とする請求項１または２記載の節電装置。
【発明の詳細な説明】
【０００１】
【発明の属する技術分野】
本発明は、交流入力を電圧制御又は電力制御して負荷に交流を低減して供給する節電装置に関するものである。特に、入力端子と出力端子とを誤って接続するのを防止するものである。
【０００２】
【従来の技術】
近年、コンビニエンスストアやガソリンスタンド等の２４時間営業店舗が増加している。それに伴い電力を低減し節電する節電装置が注目されている。従来の節電装置には、図２に示すようにオートトランス５０に複数の出力調整用のタップを設け、それらタップに接続されたスイッチ部５１ａ、５１ｂ、５１ｃを切り替えて出力容量の数分の１の調整範囲として容量を下げる節電装置３ａと、図３に示すような交流チョッパ方式の節電装置と、図４に示すようなブリッジタイプインバータの節電装置が知られている。
【０００３】
交流チョッパ方式の節電装置は、ダイオード、例えば６１ｂと、半導体スイッチング素子、例えば６１ａを異常接続して形成したスイッチング装置を２個、例えば６１、６２を逆向きに直列接続したスイッチング回路を２組設ける。この２組の内、１組を、変圧器６７の１次巻線６７ａと直列に接続し、他の１組を変圧器６７の１次巻線６７ａと並列に接続する。さらに、変圧器６７の２次巻線６７ｂをランプ等の負荷２と直列に接続して出力容量の数分の１の調整範囲として容量を下げている。
【０００４】
また、図４に示すようなブリッジタイプインバータは、ダイオード、例えば７１ｂと、半導体スイッチング素子、例えば７１ａを異常接続して形成したスイッチング装置を２個、例えば７１、７２を直列接続したスイッチング回路を３組並列に設け、さらに、並列にコンデンサ７７が設けられている。さらに、第１のスイッチング回路の半導体スイッチング装置７１と７２との接続点と、第２のスイッチング回路の半導体スイッチング装置７３と７４との接続点とをリアクトル７８ａを介して交流電源を接続する入力端子に接続して、スイッチング装置７１〜７４により力率を改善するコンバータを構成している。第２のスイッチング回路のスイッチング装置７３と７４との接続点と、第３のスイッチング回路の半導体スイッチング装置７５と７６との接続点とをリアクトル７９ａを介して負荷を接続する出力端子に接続して、スイッチング装置７３〜７６によりインバータを構成し、出力容量の数分の１の調整範囲として容量を下げている。
【０００５】
【発明が解決しようとする課題】
ところが、図２に示すオートトランス方式の節電装置、図３に示す交流チョッパ方式の節電装置、図４に示すブリッジタイプインバータの節電装置では、出力端子６ａ、６ｂに誤って入力の交流電源１が接続され、入力端子５ａ、５ｂに負荷２が接続されても、制御装置５２又は６８に交流電源が供給され、図２に示すスイッチ部５１、図３又は図４に示すスイッチング素子６１ａ〜６４ａ又は７１ａ〜７６ａが動作することがある。このため負荷２には、交流電源の交流電圧を昇圧した過電圧が印加して、負荷を破損させることがあった。また、節電装置は、入力電流が数１０Ａ以上で、入出力端子５ａ、５ｂ、６ａ、６ｂは端子台が使用され、入出力端子を誤った接続が行われる可能性があった。
【０００８】
【課題を解決するための手段】
上記課題を解決するために、請求項１記載の発明は、単相交流電源を入力とし、上記単相交流電源の電圧を制御して出力する電力調整部を具備している。電力調整部の入力端子間に接続され、交流電源から電力調整部に印加される交流電圧を表す入力の交流電圧検出信号を生成する入力電圧検出器と、電力調整部の出力端子間に接続され、電力調整部から負荷に印加される交流電圧を表す出力の交流電圧検出信号を生成する出力電圧検出器とを備えている。調整前の上記入力の交流電圧検出信号と、上記出力の交流電圧検出信号とを記憶し調整前電圧記憶信号を出力する調整前電圧記憶装置と、調整後の上記入力の交流電圧検出信号と、上記出力の交流電圧検出信号とを記憶し調整後電圧記憶信号を出力する調整後電圧記憶装置と、入力の調整前電圧記憶信号と入力の調整後電圧記憶信号とを比較し、かつ、出力の調整前電圧記憶信号と出力の調整後電圧記憶信号とを比較し、入力の交流電圧と上記電力調整部の出力電圧との電圧変動から正常接続あるいは異常接続かを判別し、その判別信号を出力する異常接続判別装置と、上記異常接続判別装置の上記判別信号により節電装置の入出力端子の接続が正常接続又は異常接続を表示する接続表示装置とを備えたものである。
【０００９】
この節電装置によれば、入出力端子の接続が正常接続であれば、異常接続判別装置が入力の交流電圧と上記電力調整部の出力電圧との電圧変動の妥当性を判別する。入出力端子の接続が異常接続であれば、異常接続判別装置が入力の交流電圧と上記電力調整部の出力電圧との電圧変動の妥当でないと判別する。そして、電圧変動の妥当出ないと信号を出力したとき、接続表示装置により入出力端子の接続が異常接続であることを表示する。これにより、この誤った接続を正すことにより、負荷には、交流電源の交流電圧が昇圧された過電圧が印加することがなく、負荷を破損させることがない。
【００１０】
請求項２記載の発明は、単相交流電源を入力とし、上記単相交流電源の電圧を制御して出力する電力調整部を備えている。上記電力調整部の入力端子間に接続され、交流電源から電力調整部に印加される交流電圧を表す入力の交流電圧検出信号を生成する入力電圧検出器と、上記電力調整部から負荷に供給される出力電流を表す交流電流検出信号を生成する電流検出器と、上記電力調整部から負荷に印加される交流電圧を表す出力の交流電圧検出信号を生成する出力電圧検出器とを備えている。さらに上記交流電流検出信号と上記交流電圧検出信号とを乗算し、負荷に供給される電力を表す電力検出信号を生成する乗算器と、上記電力検出信号を基準値と比較することで上記電力検出信号が正信号か又は負信号かを判別し、電力検出信号が正を出力するときは節電装置の入出力端子の接続が正常接続を判別し、負を出力するときは上記入出力端子の接続が異常接続を判別する比較器とを備えている。調整前の上記入力の交流電圧検出信号と、上記出力の交流電圧検出信号とを記憶し調整前電圧記憶信号を出力する調整前電圧記憶装置と、調整後の上記入力の交流電圧検出信号と、上記出力の交流電圧検出信号とを記憶し調整後電圧記憶信号を出力する調整後電圧記憶装置と、入力の調整前電圧記憶信号と入力の調整後電圧記憶信号とを比較し、かつ、出力の調整前電圧記憶信号と出力の調整後電圧記憶信号とを比較し、入力の交流電圧と上記電力調整部の出力電圧との電圧変動から正常接続あるいは異常接続かを判別し、その判別信号を出力する異常接続判別装置とを備えている。さらに、上記比較器又は上記異常接続判別装置の上記判別信号により節電装置の入出力端子の接続が正常接続又は異常接続を表示する接続表示装置を備えている。
【００１１】
この節電装置によれば、節電装置に負荷が接続されている場合も、また、無負荷時の場合も、入、出力接続が正常接続か、又は誤接続かを確実に判定し、それを表示することができる。
【００１２】
請求項３記載の発明は、上記異常接続判別装置の出力に、上記入力の交流電圧と上記電力調整部の出力電圧との電圧変動の妥当性を欠き上記入出力端子の接続が異常接続を出力したとき、上記異常接続判別装置の出力信号により上記電力調整部をリセットし、上記異常接続判別装置の出力信号を所定数カウントしたとき上記接続表示装置に上記入出力端子の接続が異常接続表示指令を行うカウンタを備えたものである。
【００１３】
節電装置が動作前後で、入力の交流電圧が変動し、節電装置が正常接続されているにもかかわらず、異常接続を予想される場合がある。この節電装置は、異常接続検出後、節電装置を一旦リセットして再起動させる。異常接続のカウントが所定数に達すると、カウンタから接続表示装置を指令して接続表示装置に入出力端子の接続が異常接続であることを表示する。これにより、入出力端子の接続が異常接続のときは確実に異常接続を表示させることができる。
【００１４】
【発明の実施の形態】
本発明の実施の形態を図１によって説明する。１は入力の単相交流電源、２はランプ等の負荷、４は従来から使用されているオートトランスとスイッチ部、交流チョッパ回路、ブリッジタイプインバータ式等の節電装置３の電力調整部である。５ａ、５ｂは節電装置３の入力端子で交流電源１が接続される。６ａ、６ｂはその出力端子でその出力に負荷２が接続される。７は上記節電装置３の電力調整部４のスイッチやスイッチング素子を制御する制御装置で、入力端子５ａ、５ｂに接続されている。
【００１５】
節電装置３は第１及び第２の入出力誤接続検出装置１０、２０を備えている。電力調整部４内の変圧器４ａの１次巻線４ｂには電流検出器１１が設けられている。節電装置３の電力調整部４から負荷２に供給される出力電流（負荷電流）と変圧器４ａの１次巻線４ｂに流れる電流は比例するため、電流検出器１１は、節電装置３の電力調整部４から負荷２に供給される出力電流を表す交流電流検出信号を生成する。なお、電流検出器１１を、電力調整部４の出力と節電装置の出力端子６ａ、６ｂ間に設け、負荷２に流れる電流を直接検出し、交流電流検出信号を生成してもよい。同様に、出力端子６ａ、６ｂ間には、出力電圧検出器１３が接続されている。出力電圧検出器１３は、節電装置３の電力調整部４から負荷２に印加される交流電圧（負荷電圧）を表す出力の交流電圧検出信号を生成する。
【００１６】
電流検出器１１からの交流電流検出信号は、そのレベルがレベル調整器１２によって調整され、乗算器１４に供給される。出力電圧検出器１３からの出力交流電圧検出信号も乗算器１４に供給され、乗算器１４により交流電流検出信号と出力交流電圧検出信号とが乗算される。従って、乗算器１４の出力は、負荷２に供給されている電力（負荷電力）を表す電力検出信号となる。１５は第１の比較器であり、上記電力検出信号と、上記電力検出信号が正信号又は逆信号化を判別できる基準信号、例えば基準値０とを入力し、この入力された上記電力検出信号と上記基準信号を比較する、すなわち上記電力検出信号から基準信号を減算することで、上記電力検出信号が正信号か又は負信号かを判別する。もし、電力検出信号が正のときは０を出力し、負のときは論理１を出力する。この論理０または１によって、節電装置３が入力端子５ａ、５ｂに交流電源１が接続され、出力端子６ａ、６ｂに負荷２が接続されているか、又は、図１の破線で示すように入力端子５ａ、５ｂに負荷２が接続され、出力端子６ａ、６ｂに交流電源１が接続されているかを判別する。この比較器１５の判別信号によって後述する接続表示装置３２の表示を指令する。上記第１入出力誤接続検出装置１０は、電流検出器１１、レベル調整器１２、出力電圧検出器１３、乗算器１４、第１の比較器１５により構成されている。
【００１７】
上記第１入出力誤接続検出装置１０は出力電流を検出しているため、負荷が必ず接続されていることが条件となっている。ところが、無負荷時においても入、出力接続が正常接続か、又は誤接続かを判別する必要もある。このために第２入出力誤接続検出装置２０が設けられている。次に、第２入出力誤接続検出装置２０について説明する。
【００１８】
入力端子５ａ、５ｂ間には、入力電圧検出器２１が接続されている。入力電圧検出器２１は、入力の交流電源１から節電装置３の電力調整部４に印加される交流電圧（入力電圧）を表す入力の交流電圧検出信号を生成する。出力端子６ａ、６ｂ間には、出力電圧検出器２２が接続されている。出力電圧検出器２２は、節電装置３の電力調整部４から負荷２に印加される交流電圧（負荷電圧）を表す出力の交流電圧検出信号を生成する。入力の交流電圧検出信号は調整前電圧記憶装置２３の調整前入力電圧記憶装置２３ａと調整後電圧記憶装置２４の調整後入力電圧記憶装置２４ａに印加する。出力の交流電圧検出信号は調整前電圧記憶装置２３の調整前出力電圧記憶装置２３ｂと調整後電圧記憶装置２４の調整後出力電圧記憶装置２４ｂに印加する。
【００１９】
節電装置３を起動する直前は、電力調整部４に起動信号（図示せず）が入力されておらず、また、変圧器の１次巻線４ｂと並列に設けられた開閉手段４ｄが短絡されている。このため節電装置３の入力電圧と出力電圧とはほぼ等しい電圧となっている。入力及び出力の両交流電圧検出信号が入力する調整前電圧記憶装置２３は、入力交流電圧検出信号と出力交流電圧検出信号とがほぼ等しい電圧であることを記憶する。
【００２０】
開閉手段４ｄが開放され、さらに、電力調整部４に起動信号が入力されて、電力調整部４が起動すると、入力及び出力の両交流電圧検出信号が入力する調整後電圧記憶装置２４は、入力交流電圧検出信号と出力交流電圧検出信号とを記憶する。
【００２１】
調整前入力電圧記憶装置２３ａの記憶信号と調整後入力電圧記憶装置２４ａの記憶信号とが減算器２６ａにより減算される。また、調整前出力電圧記憶装置２３ｂの記憶信号と調整後出力電圧記憶装置２４ｂの記憶信号とが減算器２６ｂにより減算される。減算器２６ａ、２６ｂにより減算された減算信号はそれぞれ絶対値回路２７ａ、２７ｂにより絶対値変換される。
【００２２】
絶対値変換された両減算信号は第２の比較器２８により比較され、入力側の絶対値回路２７ａの出力が出力側の絶対値回路２７ｂの出力より高いかまたは低いかを判別される。もし、入力側の絶対値回路２７ａの出力が出力側の絶対値回路２７ｂの出力より高いときは、論理０を出力し、低いときは論理１を出力する。この論理０または１によって、節電装置３が入力端子５ａ、５ｂに交流電源１が接続され、出力端子６ａ、６ｂに負荷２が接続されているか、又は、図１の破線で示すように入力端子５ａ、５ｂに負荷２が接続され、出力端子６ａ、６ｂに交流電源１が接続されているかを判別する。この比較器１５の判別信号によって後述の接続表示装置３２の表示を指令する。
【００２３】
なお、減算器２６ａ、２６ｂ、絶対値回路２７ａ、２７ｂ、第２の比較器２８により異常接続判別装置２５が構成され、上述のように入力の調整前電圧記憶信号と入力の調整後電圧記憶信号とを比較して減算され、かつ、出力の調整前電圧記憶信号と出力の調整後電圧記憶信号とを比較して減算される。減算された減算信号は絶対値変換され、さらに、絶対値変換された入力側の絶対値変換信号と出力側の絶対値変換信号とを比較される。この入力側の絶対値変換信号と出力側の絶対値変換信号との比較により、正常接続の場合、上記電力調整部の出力電圧の電圧変動が入力の交流電圧の電圧変動よりも大きくなることとなり、また、異常接続の場合は小さくなることとなる。この電圧変動の大小で正常、異常接続を判断し、その判別信号を出力する。また、調整前電圧記憶装置２３、調整後電圧記憶装置２４、異常接続判別装置２５と後述するカウンタにより第２の入出力誤接続検出装置２０が構成されている。
【００２４】
次に、調整前の交流電源１の交流電圧が、例えば１１０Ｖで、調整後の交流電源１の交流電圧１００Ｖに降下した場合について説明する。調整前入力電圧記憶装置２３ａの出力Ａは交流電圧１１０Ｖの１１０を出力したとすれば、調整前出力電圧記憶装置２３ｂの出力Ｂも交流電圧１１０Ｖの１１０を出力する。
【００２５】
ここで、節電装置３の入力端子５ａ、５ｂに交流電源１が接続され、出力端子６ａ、６ｂに負荷２が接続されている正常接続の場合は、調整後入力電圧記憶装置２４ａの出力Ｃは交流電圧１１０Ｖの１１０を出力し、調整後出力電圧記憶装置２４ｂの出力Ｄは交流電圧１００Ｖの１００を出力する。これにより、入力側の減算器２６ａの出力Ｅは０で、出力側の減算器２６ｂの出力Ｆは１０となり、入力側の絶対値回路２７ａの出力Ｇは０で、出力側の絶対値回路２７ｂの出力Ｈは１０となる。すなわち、出力側の絶対値回路２７ｂの出力Ｈが入力側の絶対値回路２７ａの出力Ｇよりも高くなる。
【００２６】
また、図１の破線で示すように、節電装置３の入力端子５ａ、５ｂに負荷２が接続され、出力端子６ａ、６ｂに交流電源１が接続された異常接続の場合は、調整後入力電圧記憶装置２４ａの出力Ｃは１２０を出力し、調整後出力電圧記憶装置２４ｂの出力Ｄは１１０を出力する。これにより、入力側の減算器２６ａの出力Ｅは１０で、出力側の減算器２６ｂの出力Ｆは０となり、入力側の絶対値回路２７ａの出力Ｇは１０で、出力側の絶対値回路２７ｂの出力Ｈは０となる。この場合、出力側の絶対値回路２７ｂの出力Ｈが入力側の絶対値回路２７ａの出力Ｇよりも低くなる。
【００２７】
第２の比較器２８は入力側の絶対値回路２７ａの出力Ｇと出力側の絶対値回路２７ｂの出力Ｈを比較し、入力側の絶対値回路２７ａの出力Ｇが出力側の絶対値回路２７ｂの出力Ｈより高いときに論理０を出力し、入力側の絶対値回路２７ａの出力Ｇが出力側の絶対値回路２７ｂの出力Ｈより低いときに論理１を出力する。以上により第２の比較器が論理０を出力するときは、節電装置３には交流電源１と負荷２とが正常に接続され、論理１を出力するときは、節電装置３には交流電源と１と負荷２とが逆に接続されていることになる。
【００２８】
一方、調整前の交流電源１の交流電圧が、例えば９０Ｖで、調整後の交流電源１の交流電圧１００Ｖに上昇した場合で、正常接続されたとき、入力側の減算器２６ａの出力Ｅは０で、出力側の減算器２６ｂの出力Ｆは−１０となり、出力側の絶対値回路２７ｂの出力Ｈが１０を出力する。その他については上述の調整前の交流電源１の交流電圧が、調整後に降下した場合と同様に動作する。そして、正常接続の場合、出力側の絶対値回路２７ｂの出力Ｈが入力側の絶対値回路２７ａの出力Ｇよりも高くなり、異常接続の場合、出力側の絶対値回路２７ｂの出力Ｈが入力側の絶対値回路２７ａの出力Ｇよりも低くなる。
【００２９】
ところで、節電装置３が動作前後で、入力の交流電圧が変動し、節電装置が正常接続されているにもかかわらず、異常接続と判定することが予想される場合がある。このような節電装置３の動作前後の瞬時変動による誤判定を防止するために、異常接続検出後、リセット装置３０を指令して、節電装置３を一旦リセットし再起動させる。２９はカウンタで比較器２８の異常接続の論理１を所定数カウントし、例えば３回カウントされればカウンタ２９から論理１、すなわち第２の入出力誤接続検出装置２０は異常接続であることを出力する。
【００３０】
第１の入出力誤接続検出装置１０の出力と、第２の入出力誤接続検出装置２０の出力はダイオード３１ａ、３１ｂで構成されるオアー回路３１に入力され、大きい出力が選択されて接続表示装置３２に入力される。この接続表示装置の表示は表示灯、ブザー、電子文字表示、電子音など表示、報知、警報等行う手段により行われる。そして、節電装置の入力端子に負荷が接続され、出力端子に交流電源が接続されたときには異常接続を表示する。
【００３１】
上記実施形態では、出力電圧検出器に１３と２２の２個設けているが、いずれか１個であってもよい。
【００３２】
【発明の効果】
この発明の節電装置では、入力端子と出力端子とを誤って接続しても確実に誤接続を表示される。この誤った接続を正すことにより、負荷には、交流電源の交流電圧が昇圧された過電圧が印加することがなく、負荷を破損させることがない。
【図面の簡単な説明】
【図１】本発明の実施形態を示すブロック回路図
【図２】従来のブロック回路図
【図３】従来のブロック回路図
【図４】従来の回路図
【符号の説明】
１  交流電源
２  負荷
３  節電装置
４  電力調整部
４ａ  変圧器
４ｂ  １次巻線
４ｃ  ２次巻線
４ｄ  開閉手段
５ａ、５ｂ  入力端子
６ａ、６ｂ  出力端子
７  制御装置
１０  第１入出力誤接続検出装置
１１  電流検出器
１２  レベル調整器
１３  電圧検出器
１４  乗算器
１５  （第１の）比較器
２０  第２入出力誤接続検出装置
２１  入力電圧検出器
２２  出力電圧検出器
２３  調整前電圧記憶装置
２３ａ  調整前入力電圧記憶装置
２３ｂ  調整前出力電圧記憶装置
２４  調整後電圧記憶装置
２４ａ  調整後入力電圧記憶装置
２４ｂ  調整後出力電圧記憶装置
２５  異常接続判別装置
２６ａ、２６ｂ  減算器
２７ａ、２７ｂ  絶対値回路
２８  （第２の）比較器
２９  カウンタ
３０  リセット装置
３１  オアー回路
３１ａ、３１ｂ  ダイオード
３２  接続表示装置
【図１】
0003853223.tif 000002
【図２】
0003853223.tif 000003
【図３】
0003853223.tif 000004
【図４】
0003853223.tif 000005